(57)【要約】【課題】市販の感熱記録シートを用いた腰のある葉書を提供する。【解決手段】基材２及びその片面上に形成された感熱記録層３を有する感熱記録シート４と、上記基材２の上記感熱記録層３とは反対側に設けられた接着層５と、上記接着層５に接着された腰補強用シート６と、上記感熱記録シート４の上記感熱記録層３の上に設けられた疑似接着層７と、上記疑似接着層７の上記感熱記録層３とは反対側に設けられ、上記感熱記録層３の少なくとも一部の領域を記録不読状態にするための記録不読部を有する記録不読用シート９とを具備し、上記記録不読用シート９が上記疑似接着層７を介して剥がし可能に接着されている。【選択図】図１
2012061815.tif 000002
【特許請求の範囲】
【請求項１】
基材及びその片面上に形成された感熱記録層を有する感熱記録シートと、
上記基材の上記感熱記録層とは反対側に設けられた接着層と、
上記接着層に接着された腰補強用シートと、
上記感熱記録シートの上記感熱記録層の上に設けられた疑似接着層と、
上記疑似接着層の上記感熱記録層とは反対側に設けられ、上記感熱記録層の少なくとも一部の領域を記録不読状態にするための記録不読部を有する記録不読用シートとを具備し、
上記記録不読用シートが上記疑似接着層を介して剥がし可能に接着されていることを特徴とする葉書。
【請求項２】
請求項１に記載の葉書において、
上記接着層がアクリル樹脂系接着剤からなることを特徴とする葉書。
【請求項３】
請求項１または２に記載の葉書において、
上記感熱記録シートと上記腰補強用シートとの間に、上記感熱記録層の少なくとも一部の領域を記録不読状態にするための記録不読層が設けられていることを特徴とする葉書。
【発明の詳細な説明】
【技術分野】
【０００１】
本発明は、感熱記録層が形成された感熱記録シートを用いた葉書に関する。
【背景技術】
【０００２】
上記葉書として、感熱記録層が片面に形成された感熱記録シートにおける上記感熱記録層側の上に、少なくとも一部の領域を記録不読状態にするシートが剥がし可能に貼付けられたものが知られている（例えば、特許文献１等参照）。
【先行技術文献】
【特許文献】
【０００３】
【特許文献１】特開２００７−２３００９８号公報
【発明の概要】
【発明が解決しようとする課題】
【０００４】
ところで、上記感熱記録シートとして市販されているものを用いる場合は、その感熱記録シートが薄いため、これをそのまま用いた葉書は、板状に真っ直ぐにならずにロール状に巻回し、腰が弱いという難点がある。
【０００５】
本発明は、このような従来技術の課題を解決するためになされたもので、市販の感熱記録シートを用いた腰のある葉書を提供することを目的とする。
【課題を解決するための手段】
【０００６】
本発明は、基材及びその片面上に形成された感熱記録層を有する感熱記録シートと、上記基材の上記感熱記録層とは反対側に設けられた接着層と、上記接着層に接着された腰補強用シートと、上記感熱記録シートの上記感熱記録層の上に設けられた疑似接着層と、上記疑似接着層の上記感熱記録層とは反対側に設けられ、上記感熱記録層の少なくとも一部の領域を記録不読状態にするための記録不読部を有する記録不読用シートとを具備し、上記記録不読用シートが上記疑似接着層を介して剥がし可能に接着されていることを特徴とする。本発明による場合には、感熱記録層を有する感熱記録シートに腰補強用シートが貼着されるので、その腰補強用シートに所望の厚みのものを用いることで、市販の腰の弱い感熱記録シートを使用する場合でも、腰の強い葉書が得られる。
【０００７】
この構成において、上記接着層がアクリル樹脂系接着剤からなるようにすることが好ましい。この構成による場合には、接着層の成分が感熱記録シートに滲んでも、感熱記録層と反応し難く、感熱記録層に記録した情報の変色や消失を起こり難くできる。
【０００８】
この構成において、上記感熱記録シートと上記腰補強用シートとの間に、上記感熱記録層の少なくとも一部の領域を記録不読状態にするための記録不読層が設けられた構成とすることができる。この構成による場合には、感熱記録層に情報を感熱記録しても、感熱記録層の両側を記録不読用シートの記録不読部と記録不読層とが覆うので、感熱記録層の両側において感熱記録層に感熱記録された情報が不読状態にされる。これにより、情報が記録された葉書を光に透かして見ても、情報が不読状態になり得る。
【発明の効果】
【０００９】
本発明による場合には、感熱記録層を有する感熱記録シートに腰補強用シートが貼着されるので、その腰補強用シートに所望の厚みのものを用いることで、市販の腰の弱い感熱記録シートを使用する場合でも、腰の強い葉書が得られる。
【図面の簡単な説明】
【００１０】
【図１】本発明の一実施形態に係る葉書を示す正面断面図である。
【図２】図１の葉書を示す分解斜視図である。
【図３】葉書の製造方法の説明図である。
【図４】長尺の葉書にミシン目を入れた状態を示す平面図である。
【図５】本発明の他の実施形態に係る葉書を示す正面断面図である。
【発明を実施するための形態】
【００１１】
以下に、本発明の実施形態を具体的に説明する。
【００１２】
図１は、この実施形態に係る葉書を示す正面断面図であり、図２はその分解斜視図である。
【００１３】
この葉書１は、矩形板状の基材２及びその片面上に形成された感熱記録層３を有する感熱記録シート４と、上記基材２の上記感熱記録層３とは反対側に設けられた接着層５と、上記接着層５の上記基材２とは反対側に接着された腰補強用シート６と、上記感熱記録シート４の上記感熱記録層３の上に設けられた疑似接着層７と、上記疑似接着層７の上記感熱記録層３とは反対側に設けられ、上記感熱記録層３の少なくとも一部の領域を記録不読状態にするための記録不読部８を有する記録不読用シート９とを具備し、上記記録不読用シート９が上記疑似接着層７を介して剥がし可能に接着されている。
【００１４】
感熱記録シート４は、最大でも厚みが１３０μｍ程度の市販品であり、本実施形態では例えば厚みが６０μｍ程度のものを用いている。基材２の材質は、例えば紙からなる。感熱記録層３は、例えば反応性塗料（塗料前駆体）と顕色剤とを含有するもので形成されており、反応性塗料と顕色剤とが熱により反応して発色することで、情報を記録することができる。また、感熱記録層３は、基材２の片方の全面に形成されている。なお、感熱記録層３は、反応性塗料及び顕色剤を含む単一の層であってもよく、また、反応性塗料のみからなる層と顕色剤のみからなる層とを含む２層以上の多層であってもよい。また、感熱記録層３には、バインダーや、顔料、各種添加剤などが含有されていてもよい。
【００１５】
接着層５は、例えばアクリル樹脂系接着剤などが用いられる。本実施形態では、アクリル樹脂系接着剤に含まれる２種または３種以上のものを共重合させたものを用いている。このような接着層５は、その成分が感熱記録シート４に滲んでも、感熱記録層３と反応して変色することを無くし或いは少なくなし得、結果として、感熱記録層３に記録される情報の変色や消失を起こり難くできる。
【００１６】
腰補強用シート６は、接着層５を介して感熱記録シート４と貼合わせることで、一般の葉書と同程度の厚みと腰の強さとを確保できるように用いており、本実施形態では厚みが１１０μｍ程度のものを用いている。また、腰補強用シート６の縦横寸法は、感熱記録シート４と同じ大きさのものである。なお、縦横寸法のうちの縦寸法は葉書１の長さ方向の寸法で、横寸法は葉書１の幅方向の寸法である。以下において同様である。
【００１７】
疑似接着層７は、再剥離性を有すると同時に再貼付ができない性質を有するものであって、かつ接着機能を備えたものであればよく、熱付与を必要としないものが用いられる。例えば、ゴム系粘着剤、アクリル系粘着剤、酢酸ビニル系粘着剤などのうちの一種または二種以上が用いられる。
【００１８】
記録不読用シート９は、透明または半透明のシート、例えばグラシン紙からなり、厚みとしては例えば本実施形態では厚み２０μｍ程度であり、縦横寸法については、感熱記録シート４および腰補強用シート６と同じ縦横寸法のものである。この記録不読用シート９の上面（感熱記録シート４とは反対側）には、上記記録不読部８の他に、「郵便はがき」の文字９ｂ、７つの矩形枠を有する郵便番号の書込み欄９ｃ、破線で矩形に描いた切手の貼着欄９ｄなどが印刷される。
【００１９】
記録不読部８には、本実施形態として、記録不読用シート９の表面に印刷した迷彩を用いている。また、記録不読部８としては、記録不読用シート９の上に積層形成した遮蔽層であってもよく、その他、感熱記録層３に記録される情報を視認することを困難にするように印刷された、上記情報とは異なる文字や数字などであってもよい。なお、記録不読部８を設ける領域は、本実施形態においては感熱記録層３に記録される情報のうち、秘密を保持させる必要がある記録箇所、例えば個人情報などの記録箇所に一致させている。
【００２０】
また、記録不読用シート９の１つの角部には、記録不読用シート９を剥がし易くする切目１０が形成されている。この切目１０は、切目１０よりも外側の角部９ａを下側に折り曲げることにより、記録不読用シート９における切目１０の近傍部分を感熱記録シート４から浮き上がらせて把持し易くし、記録不読用シート９を剥がし易くするものである。
【００２１】
この構成の本実施形態に係る葉書１は、感熱記録シート４の厚みが６０μｍ程度、腰補強用シート６の厚みが１１０μｍ程度、記録不読用シート９の厚みが２０μｍ程度であるので、１９０μｍ程度の厚みとなっているが、一般の葉書と同程度の厚みと腰の強さとを確保できれば、市販されている感熱記録シート４の厚みが６０μｍ以外であっても、その厚みに応じて腰補強用シート６、記録不読用シート９の厚みを変更してもよい。例えば、葉書１の厚みとしては、１６０〜３００μｍの任意の値としてもよい。
【００２２】
また、本実施形態に係る葉書１は、一定の縦横寸法のものであるが、製造に際しては、ロール状に巻回された長尺のシート状のものが用いられ、最終的にミシン目を入れてそのミシン目の箇所で折って積み重ねられた状態に製造される。
【００２３】
図３は、上記葉書１の製造に用いられる葉書製造装置を示す正面図である。
【００２４】
この葉書製造装置２０は、第１給紙部２１と、第２給紙部２２と、第１給紙部２１から供給される用紙２３および第２給紙部２２から供給される用紙２４を貼り合わせる貼合せ部２５と、貼り合わされた用紙２６を巻取る巻取部２７と、用紙２６に印刷を施す印刷部２８と、貼合せ部２５よりも上流側であって、第２給紙部２２から供給される用紙２４の貼り合わせ面に接着剤を付着させる接着剤付着具２９と、貼合せ部２５よりも下流側に配された刃型胴部３０と、更に刃型胴部３０と巻取部２７との間に配されたミシン胴部３１とを備える。また、この葉書製造装置２０は、巻取部２７に代えて用いられる、長尺の葉書を折り畳む折り畳み部３２を備える。巻取部２７と折り畳み部３２とは、択一的に用いられる。
【００２５】
印刷部２８は、１または２以上の印刷機を有する。この印刷部２８は、感熱記録を行うものではなく、上述した記録不読部８、文字９ｂ、郵便番号の書込み欄９ｃ、切手の貼着欄９ｄなどを印刷するものである。接着剤付着具２９は用いる接着剤を貯留するタンクと、接着剤を用紙２４の貼り合わせ面に付着させる版とを備える。刃型胴部３０は、上記切目１０を形成するものである。ミシン胴部３１は、折り畳み部３２での折り畳みに用いるミシン目を形成するものである。
【００２６】
この葉書製造装置２０による葉書１の製造方法を以下に述べる。
【００２７】
まず、第１給紙部２１に腰補強用シート６が巻回されたロールを取付けるとともに、第２給紙部２２に感熱記録シート４が巻回されたロールを取付け、かつ、接着剤付着具２８のタンクに接着層５を形成する接着剤を入れる。
【００２８】
かかる準備が完了すると葉書製造装置２０を作動させる。これにより、感熱記録シート４に腰補強用シート６が接着層５を介して接着されたもの（第１中間品）が巻取部２７に巻き取られる。
【００２９】
次に、取部２７に巻き取られたロール（第１中間品）を、第１給紙部２１に取付けるとともに、第２給紙部２２に記録不読用シート９が巻回されたロールを取付け、かつ、接着剤付着具２８のタンクに疑似接着層７を形成する疑似接着剤を入れる。
【００３０】
かかる準備が完了すると葉書製造装置２０を作動させる。これにより、前記第１中間品に対し、疑似接着層７を介して記録不読用シート９が接着されて巻取部２７に巻き取られる。この巻き取られたものは、第１中間品の感熱記録シート４の上に、疑似接着層７を挟んで記録不読用シート９が接着された構成（第２中間品）である。
【００３１】
次に、巻取部２７に巻き取られた第２中間品を第１給紙部２１に取付けるとともに、巻取部２７を製造ラインから外し、折り畳み部３２を製造ラインに配置する。
【００３２】
かかる準備が完了すると葉書製造装置２０を作動させる。これにより、第２中間品の記録不読用シート９に印刷部２８により記録不読部８、文字９ｂ、郵便番号の書込み欄９ｃ、切手の貼着欄９ｄなどの印刷が施され、続いて、刃型胴部３０により上記記録不読用シート９に切目１０が形成され、更にミシン胴部３１により第２中間品３３の幅方向にミシン目３４が形成され（図４参照）、折り畳み部３２によりミシン目の箇所を外側が山折りになるように折り畳まれる。
【００３３】
最後に、以上のようにして折り畳まれたものを、ミシン目の箇所で切断することにより、一枚ずつに分離された葉書１が作製される。
【００３４】
このようにして製造された葉書１にあっては、感熱記録シート４に腰補強用シート６が貼着されるので、その腰補強用シート６に所望の厚みのものを用いることで、市販の腰の弱い感熱記録シート４を使用する場合でも、腰の強いものになる。また、製造された葉書１の感熱記録層３に、感熱記録プリンターなどにより情報を感熱記録しても、その記録した部分が記録不読部８により覆われているので、記録情報を読むことができない状態にできる。
【００３５】
なお、上述した実施形態では、感熱記録層３の片側に、つまり感熱記録層３の基材２とは反対側に記録不読部８を配設した構成としているが、本発明はこれに限らず、感熱記録層３の両側に記録不読部を配設した構成としてもよい。図５は、その構成を示す正面断面図である。
【００３６】
この図５にあっては、感熱記録シート４と腰補強用シート６との間に、記録不読層１１を設けた構成としている。上記記録不読層１１は、感熱記録シート４の下面または腰補強用シート６の上面のいずれか或いは両方に印刷によって形成され、記録不読部８と重なる領域に同じ大きさで設けられる。
【００３７】
この構成による場合には、感熱記録プリンター等により感熱記録層３に情報を感熱記録しても、感熱記録層３の両側を記録不読用シート９の記録不読部８と記録不読層１１とが覆うので、感熱記録層３の両側において感熱記録層３に記録された情報が不読状態にされる。これにより、情報が記録された葉書１を光に透かして見ても、情報を不読状態になし得る。
【００３８】
また、上述した実施形態では、記録不読層１１を記録不読部８と同じ大きさで重なるように形成しているが、本発明はこれに限らず、記録不読部８と重なるとともに記録不読部８よりも広い範囲（例えば、感熱記録シート４の下面または腰補強用シート６の上面の全面）に記録不読層１１を形成してもよい。
【００３９】
更に、上述した実施形態では、記録不読用シート９を記録不読部８よりも大きい寸法にしているが、本発明はこれに限らない。例えば、記録不読用シート９を記録不読部８と同じ大きさとしてもよい。
【００４０】
更にまた、上述した実施形態では、折り畳み部３２によりミシン目の箇所を外側が山折りになるように折り畳んでいるが、本発明はこれに限らない。例えば、折り畳むことなく、かつ一枚ずつミシン目の箇所で分離した状態（つまり葉書１の状態）にしてもよく、或いは、ミシン目の箇所で分離することなくロール状に巻回した状態（つまり複数の葉書１が繋がった状態）にしてもよい。
【符号の説明】
【００４１】
１    葉書
２    基材
３    感熱記録層
４    感熱記録シート
５    接着層
６    腰補強用シート
７    疑似接着層
８    記録不読部
９    記録不読用シート
１１    記録不読層
【図１】
2012061815.tif 000003
【図２】
2012061815.tif 000004
【図３】
2012061815.tif 000005
【図４】
2012061815.tif 000006
【図５】
2012061815.tif 000007